(57)【要約】位置決め信号生成ステージにより生成及び発信される光位置決め信号が発信されるルームエリアを位置決めする位置決め装置の回路において、位置決めされるルームエリアからの距離に配置され、ルームエリアから供給可能な光位置決め信号を光受信するよう構成される受信ステージがまず設けられ、次に受信した光位置決め信号を用いることにより、受信ステージとルームエリアとの間の距離を表すルームエリア位置決め情報を決定及び発信するよう構成された判定ステージが設けられる。
2006527954.tif 000002
【特許請求の範囲】
【請求項１】
位置決め信号生成手段により生成及び発信される光位置決め信号が発信されるルームエリアを位置決めする位置決め装置の回路であって、
位置決め対象となる前記ルームエリアからの距離に配置され、前記ルームエリアから供給可能な前記光位置決め信号を光受信するよう構成される受信手段と、
前記受信した光位置決め信号を用いることにより、前記受信手段と前記ルームエリアとの間の距離を表す第１ルームエリア位置決め情報を判断及び発信するよう構成される判定手段と、
を有することを特徴とする回路。
【請求項２】
請求項１記載の回路であって、
前記判定手段はさらに、前記受信した光位置決め信号を用いることにより、前記受信手段と前記ルームエリアとの間の方向を表す第２ルームエリア位置決め情報を判断及び発信するよう構成されることを特徴とする回路。
【請求項３】
請求項１または２記載の回路であって、
前記判定手段は、リモコン装置により生成可能であって、前記光位置決め信号を形成する光制御信号を処理し、該光制御信号を用いることにより前記ルームエリアを位置決めするよう構成されることを特徴とする回路。
【請求項４】
請求項１または２記載の回路であって、
前記受信手段は、各光感知センサが前記位置決め信号を受信し、該センサにおいて与えられる前記位置決め信号の強度を表す該センサからのセンサ信号を発信するよう構成及び配置される少なくとも２つの光感知センサを有し、
前記判定手段は、前記センサにより発信可能なセンサ信号を用いることにより、前記位置決め信号が発信される前記ルームエリアを位置決めするよう構成される、
ことを特徴とする回路。
【請求項５】
請求項４記載の回路であって、
前記少なくとも２つの光感知センサは、各センサが前記位置決め信号を受信可能な少なくとも１つの受信セクタと関連付けされるように構成及び配置されることを特徴とする回路。
【請求項６】
請求項５記載の回路であって、
前記少なくとも２つの光感知センサは、該センサにそれぞれ係る受信セクタが少なくとも部分的に互いに重複するように構成及び配置されることを特徴とする回路。
【請求項７】
位置決め信号生成手段により生成及び発信される光位置決め信号が発信されるルームエリアを位置決めする位置決め装置であって、
請求項１乃至６何れか一項記載の回路と、
光学的に動作する送信手段と、
を有し、
判定対象となる前記ルームエリアから発信され、前記送信手段において発生する前記光位置決め信号が、前記送信手段により前記回路の受信手段に供給可能であることを特徴とする位置決め装置。
【請求項８】
請求項１乃至６何れか一項記載の回路と、
前記回路により生成可能な少なくとも１つのルームエリア位置決め情報を考慮することにより、マルチチャネル音声効果を生成するのに適した少なくとも２つの音声チャネル信号を生成するよう構成される音声チャネル信号生成手段と、
を有する音声信号発信システムであって、
各音声チャネル信号は、該信号に係る音声生成手段を介し発信され、前記少なくとも１つのルームエリア位置決め情報を考慮することにより、前記音声チャネル信号が前記ルームエリアに調整されることを特徴とするシステム。
【請求項９】
請求項８記載の音声信号発信システムであって、
前記回路と前記各音声生成手段との間の相対位置を表す第１位置情報を格納する第１メモリステージが設けられ、
前記音声チャネル信号生成手段はさらに、前記第１位置情報を用いることにより位置決めされたルームエリアに前記音声チャネル信号を調整するよう構成される、
ことを特徴とするシステム。
【請求項１０】
請求項１乃至６何れか一項記載の回路と、
マルチチャネル音声効果を生成するのに適した少なくとも２つの音声チャネル信号を受信するよう構成される音声チャネル信号受信手段と、
を有する音声信号受信システムであって、
各音声チャネル信号は、該信号に係る音声受信手段を介し受信可能であり、
前記音声チャネル信号受信手段は、前記回路により生成可能な少なくとも１つのルームエリア位置決め情報を考慮することにより、該少なくとも１つのルームエリア位置決め情報により表されるルームエリアに前記音声受信手段の受信特性を調整するよう構成されることを特徴とするシステム。
【請求項１１】
請求項１０記載の音声信号受信システムであって、
前記回路と前記各音声受信手段との間の相対位置を表す第２位置情報を格納する第２メモリステージが設けられ、
前記音声チャネル信号受信手段はさらに、前記少なくとも１つのルームエリア位置決め情報を用いることにより、位置決めされた前記ルームエリアに前記受信特性を調整するよう構成される、
ことを特徴とするシステム。
【請求項１２】
位置決め信号生成手段により生成及び発信される光位置決め信号が発信されるルームエリアを位置決めする方法であって、
前記位置決め信号は、位置決め対象となる前記ルームエリアからの距離に定められた地点において受信手段を用いて光受信され、
前記受信した光位置決め信号を用いることにより、前記受信手段と前記ルームエリアとの間の距離を表す第１ルームエリア位置決め情報が決定及び発信される、
ことを特徴とする方法。
【請求項１３】
請求項１２記載の方法であって、
前記受信した光位置決め信号を用いることにより、前記受信手段と前記ルームエリアとの間の方向を表す第２ルームエリア位置決め情報がさらに、決定及び発信されることを特徴とする方法。
【請求項１４】
請求項１２または１３記載の方法であって、
リモコン装置により生成可能であって、前記光位置決め信号を形成する光制御信号は、前記ルームエリアを位置決めするのに処理または利用されることを特徴とする方法。
【請求項１５】
請求項１２または１３記載の方法であって、
前記位置決め信号は、少なくとも２つの光感知センサにより受信され、
各ケースにおいてセンサ信号が生成及び発信され、
前記センサ信号は、関係する前記センサにおいて与えられる前記位置決め信号の強度を表し、
前記センサにより発信されたセンサ信号を用いることにより、前記位置決め信号が発信されるルームエリアが位置決めされる、
ことを特徴とする方法。
【請求項１６】
請求項１５記載の方法であって、
少なくとも１つのセンサが、前記関係するセンサに係る少なくとも１つの受信セクタから前記位置決め信号を受信することを特徴とする方法。
【請求項１７】
請求項１５記載の方法であって、
前記位置決め信号は、少なくとも１つのセンサにより少なくとも部分的に互いに重複した受信セクタから同時に受信され、
各受信セクタは、該セクタに係る１つのセンサを有する、
ことを特徴とする方法。
【発明の詳細な説明】
【技術分野】
【０００１】
本発明は、位置決め信号生成手段により生成及び放射可能な光位置決め信号を発信するルームエリアを位置決めする回路に関する。
【０００２】
本発明はさらに、位置決め信号生成手段により生成及び放射可能な光位置決め信号を発信するルームエリアを位置決めし、第１段落で上述された回路を有する位置決め装置に関する。
【０００３】
本発明はさらに、第１段落で規定されたような回路を有する音声信号発信システムに関する。
【０００４】
本発明はさらに、第１段落で規定されたような回路を有する音声信号受信システムに関する。
【０００５】
本発明はさらに、位置決め信号生成手段により生成及び放射可能な光位置決め信号を発信するルームエリアを位置決めする方法に関する。
【背景技術】
【０００６】
第１段落で上述されたタイプの回路、第２段落で上述されたタイプの位置決め装置、第３段落で上述されたタイプの音声信号発信システム及び第４段落で上述されたタイプの方法は、特許文献ＥＰ０５６８７１６Ａ１から知られている。
【０００７】
既知の音声信号発信システムは、既知の位置決め装置を有するステレオラウドスピーカーエンクロージャ（ｓｔｅｒｅｏ  ｌｏｕｄｓｐｅａｋｅｒ  ｅｎｃｌｏｓｕｒｅ）の形態により実現され、当該位置決め装置は既知の回路を有するセンサの形態により実現される。当該既知の位置決め装置は、聴取エリア、すなわち、ステレオラウドスピーカーエンクロージャの前方のルームエリアからの赤外線信号により形成される位置決め信号を光受信するよう構成される。既知の位置決め装置はさらに、位置決め信号が発信される聴取エリアを位置決めするよう構成され、その後、位置決めされた聴取エリアと相関する２つのツイータ（ｔｗｅｅｔｅｒ）の回転が、２つの音声チャネル信号の発信が位置決めされた聴取エリアに調整され得るように、既知の音声信号発信システムにおいて実行される。
【０００８】
しかしながら、既知の回路、既知の位置決め装置及び既知の音声信号発信システムによると、位置決め信号が発信されるルームエリアの位置決めは、位置決め装置の前方にあるレベル範囲で存在する方向にのみ行われ、このことは、音声チャネル信号の発信がステレオラウドスピーカーエンクロージャの前方のルームにおいて決定されるある範囲の方向にのみしか調整できないということを意味し、当該方向範囲は、センサから位置決め信号を生成する位置決め信号生成手段に、そしてそれを超えて拡張する。
【発明の開示】
【発明が解決しようとする課題】
【０００９】
本発明の課題は、上記第１段落において規定されたタイプの回路、第２段落において規定されたタイプの位置決め装置、第３段落において規定されたタイプの音声信号発信システム、第５段落において規定されたタイプの方法において上述された問題点を解決し、改良された回路、改良された位置決め装置、改良された音声信号発信システム、新規な音声信号受信システム及び改良された方法を提供することである。
【課題を解決するための手段】
【００１０】
上記課題を解決するため、本発明による特徴は本発明による回路に提供され、これにより、本発明による回路が後述されるように特徴付けされることを可能にする。
【００１１】
位置決め信号生成手段により生成及び発信される光位置決め信号が発信されるルームエリアを位置決めする位置決め装置の回路であって、位置決め対象となる前記ルームエリアからの距離に配置され、前記ルームエリアから供給可能な前記光位置決め信号を光受信するよう構成される受信手段と、前記受信した光位置決め信号を用いることにより、前記受信手段と前記ルームエリアとの間の距離を表す第１ルームエリア位置決め情報を判断及び発信するよう構成される判定手段とを有することを特徴とする回路。
【００１２】
上記課題を解決するため、本発明による特徴は、本発明による位置決め装置において提供され、これにより、本発明による位置決め装置が後述されるように特徴付けされることを可能にする。
【００１３】
すなわち、位置決め信号生成手段により生成及び発信される光位置決め信号が発信されるルームエリアを位置決めする位置決め装置であって、請求項１乃至６何れか一項記載の回路と、光学的に動作する送信手段とを有し、判定対象となる前記ルームエリアから発信され、前記送信手段において発生する前記光位置決め信号が、前記送信手段により前記回路の受信手段に供給可能であることを特徴とする位置決め装置。
【００１４】
上記課題を解決するため、本発明による特徴は、本発明による音声信号発信システムにおいて提供され、これにより、本発明による音声信号発信システムが後述されるように特徴付けされることを可能にする。
【００１５】
請求項１乃至６何れか一項記載の回路と、前記回路により生成可能な少なくとも１つのルームエリア位置決め情報を考慮することにより、マルチチャネル音声効果を生成するのに適した少なくとも２つの音声チャネル信号を生成するよう構成される音声チャネル信号生成手段とを有する音声信号発信システムであって、各音声チャネル信号は、該信号に係る音声生成手段を介し発信され、前記少なくとも１つのルームエリア位置決め情報を考慮することにより、前記音声チャネル信号が前記ルームエリアに調整されることを特徴とするシステム。
【００１６】
上記課題を解決するため、本発明による特徴は、本発明による音声信号受信システムにおいて提供され、これにより、本発明による音声信号受信システムが後述されるように特徴付けされることを可能にする。
【００１７】
請求項１乃至６何れか一項記載の回路と、マルチチャネル音声効果を生成するのに適した少なくとも２つの音声チャネル信号を受信するよう構成される音声チャネル信号受信手段とを有する音声信号受信システムであって、各音声チャネル信号は、該信号に係る音声受信手段を介し受信可能であり、前記音声チャネル信号受信手段は、前記回路により生成可能な少なくとも１つのルームエリア位置決め情報を考慮することにより、該少なくとも１つのルームエリア位置決め情報により表されるルームエリアに前記音声受信手段の受信特性を調整するよう構成されることを特徴とするシステム。
【００１８】
上記課題を解決するため、本発明による特徴は、本発明による方法において提供され、これにより、本発明による方法が後述されるように特徴付けされることを可能にする。
【００１９】
位置決め信号生成手段により生成及び発信される光位置決め信号が発信されるルームエリアを位置決めする方法であって、前記位置決め信号は、位置決め対象となる前記ルームエリアからの距離に定められた地点において受信手段を用いて光受信され、前記受信した光位置決め信号を用いることにより、前記受信手段と前記ルームエリアとの間の距離を表す第１ルームエリア位置決め情報が決定及び発信されることを特徴とする方法。
【００２０】
本発明による規定により、位置決め信号が発信されるルームエリアが回路の受信手段からの領域に関して分類可能となる効果が、本発明による回路、位置決め装置、音声信号発信システム、音声受信システム及び方法により取得される。これは特に、音声信号発信システムを用いて生成されるものがマルチチャネル音声効果であるときに効果的である。このとき、位置決め信号が発信されるステレオ音声再生に十分良好な方向の決定が、所望のマルチチャネル音声効果の達成を可能にするのに十分良好ではないからである。また、音声信号受信手段を用いることにより受信される音声チャネル信号が、再生時にマルチチャネル音声効果が生成されることを可能にするものであるときにも効果的である。さらに、光位置決め信号の処理は、ユーザには迷惑な音声位置決め信号が、回路の受信手段と位置決め信号生成手段との間の距離を決定するのに不要とすることができるという効果を与える。
【００２１】
本発明による手段では、請求項２及び１３により各ケースにおいて示される規定がなされる場合、効果的であることがわかる。これは、受信手段にアクセス可能なルームエリアが、方向と領域の両方により位置決め信号が受信可能なルームエリアに分解または分割可能となる効果を与える。これは特に、それが単一の位置決め装置を用いることにより位置決め信号が発信されるルームエリアを位置決めする問題であるとき効果的であり、当該位置決め装置は、可能な限り省スペースにより位置決め信号が発信されるルームエリアからの通常の視覚的接触が存在する地点に配置され、例えばユーザにより引き起こされるシャドーイング効果が予想される必要はない。
【００２２】
本発明による手段では、例えば、白熱ランプやレーザポインタを用いて位置決め信号生成手段が形成される規定がなされてもよい。しかしながら、本発明による一手段では、さらに請求項３及び１４の各ケースにおいて示される規定がなされる場合、特に効果的であることがわかる。これは、リモコン装置がシステムを制御するのに使用される場合、位置決め信号が発信されるルームエリアが自動的に直接、すなわち、ユーザに感知されることなく決定されるという効果を与える。これはさらに、システムを再度使用するとき、システムのユーザが位置決め信号が発信されるルームエリアの判断を手動により、すなわち、意識的に作動させることを単に忘れたため、過去からのルームエリア情報が不意に使用されないという効果を与える。
【００２３】
本発明による手段では、さらに請求項４及び１５の各ケースにおいて請求される特徴が設けられる場合、効果的であることがかわる。これは、位置決め信号が発信されるルームエリア全体がセンサを用いて、すなわち、適切にセンサを配置または方向付けすることにより、またセンサがその指向性特性に関して適切なものとなるよう配置することにより、比較的正確に分割することができるという効果を与える。
【００２４】
本発明による手段では、さらに請求項６及び１７の各ケースにおいて示される規定がなされる場合、効果的であることがわかる。これは、十分多数のセンサを用いることにより、位置決め信号が発信されるルームエリアが問題なく決定可能となり、ルームエリアの位置決めが可能となるのに十分な個数のセンサを設けることができない端の領域が実質的に回避されるという効果を与える。
【００２５】
本発明による音声信号発信システムでは、さらに請求項９に示される規定がなされる場合、効果的であるということがわかる。これは、ルームエリア位置決め情報に基づき、位置決めされたルームエリアへの音声チャネル信号の調整が最適化可能となるという効果を与える。
【００２６】
本発明による音声信号受信システムでは、さらに請求項１１に示される規定がなされる場合、効果的であるということがわかる。これは、ルームエリア位置決め情報に基づき、受信特性の調整が最適化可能となるという効果を与える。
【００２７】
本発明の上記及び他の特徴は、本発明が以下に限定されるものとみなされるものではないが、後述される実施例を参照することにより明らかにされる。
【発明を実施するための最良の形態】
【００２８】
図１において、システム１、いわゆる、ＤＶＤに記録された映画の音声映像再生用に構成された家庭用映画システムが示されている。このため、システム１は、ＤＶＤを挿入可能であり、ＤＶＤに記録された映画を再生可能な基地局２を有する。基地局２には、表示画面３が接続されている。基地局２には、音声生成手段、すなわち、第１ラウドスピーカー４、第２ラウドスピーカー５、第３ラウドスピーカー６、第４ラウドスピーカー７及び第５ラウドスピーカー８が接続されている。映画が再生されているとき、映像信号Ｖは基地局２により表示画面３に送信することができる。当該映像信号Ｖは、ＤＶＤに格納されている映像情報を表す。基地局２により、第１音声チャネル信号Ａ１を第１ラウドスピーカー４に、第２音声チャネル信号Ａ２を第２ラウドスピーカー５に、第３音声チャネル信号Ａ３を第３ラウドスピーカー６に、第４音声チャネル信号Ａ４を第４ラウドスピーカー７に、第５音声チャネル信号Ａ５を第５ラウドスピーカー８に送信可能であり、ここで、音声チャネル信号Ａ１〜Ａ５は、ＤＶＤに格納されているデジタルマルチチャネル音声情報を表す。各々が各自に割当てられたラウドスピーカー４〜８からの発信のための５つの音声チャネル信号Ａ１〜Ａ５により、劇場や映画館で生成可能なマルチチャネル音声に類似したマルチチャネル音声効果は、音声チャネル信号Ａ１〜Ａ５が調整されるルームエリアのシステム１のユーザに対して生成可能である。
【００２９】
映像信号Ｖと音声チャネル信号Ａ１〜Ａ５を生成するため、基地局２は、映画を表すＤＶＤに格納されているデータへの読出しアクセスのため構成されるＤＶＤドライブ９を有する。ＤＶＤドライブ９は、当該データに含まれる映像データＶＤと音声データＡＤを発信するよう構成される。ここで、当該音声データＡＤは、デジタルマルチチャネル音声情報を表す。
【００３０】
基地局２はまた、映像データＶＤを受信するよう構成された映像信号生成手段１０を有する。映像信号生成手段１０はさらに、映像データＶＤを用いて映像データＶＤを表す映像信号Ｖを生成及び発するよう構成される。
【００３１】
基地局２はまた、音声データＡＤを受信するよう構成される音声チャネル信号生成手段１１を有する。音声チャネル信号生成手段１１はさらに、第１ルームエリア位置決め情報Ｓ１と第２ルームエリア位置決め情報Ｓ２を受信するよう構成される。２つのルームエリア位置決め情報Ｓ１及びＳ２を利用して、位置決め信号ＬＳが基地局２に送信されたルームエリア１２を特定することが可能となる。ルームエリア１２の位置と、ルームエリア位置決め情報Ｓ１及びＳ２の生成が以下で詳細に観察される。２つのルームエリア位置決め情報Ｓ１及びＳ２を考慮し、音声データＡＤを利用することにより、音声チャネル信号生成手段１１が、マルチチャネル音声効果を生成するのに適した５つの音声チャネル信号Ａ１〜Ａ５を生成及び発信するよう構成され、これにより、位置決め信号ＬＳを発信するルームエリア１２においてマルチチャネル音声効果を生成することが可能となり、当該ルームエリア１２に対し、音声チャネル信号Ａ１〜Ａ５が２つのルームエリア位置決め情報Ｓ１及びＳ２を考慮することにより調整された。音声チャネル信号生成手段１１は、いわゆるマルチチャネル音声プロセッサにより実現される。
【００３２】
ルームエリア１２の内部に、ユーザ（図１には図示せず）により操作可能なリモコン装置１３が示される。リモコン装置１３は、リモコン装置１３がユーザにより操作されると、基地局２の機能を制御するためリモコン装置１３により生成可能な光制御信号により本ケースでは形成される光位置決め信号ＬＳを生成及び発信するよう構成された位置決め信号生成手段が実現されるような形態をとる。
【００３３】
２つのルームエリア位置決め情報Ｓ１及びＳ２を生成するため、基地局２はまた、リモコン装置１３により生成及び発信される光位置決め信号ＬＳが発信されるルームエリアを位置決めするよう構成される位置決め装置１４を有する。当該位置決め装置１４は、回路１５と送信手段１６を有する。
【００３４】
送信手段１６は、判断対象となるルームエリア１２から発信され、送信手段１６において生成される光位置決め信号ＬＳが、送信手段１６により回路１５に供給可能となるよう光学的に動作可能となるよう構成される。
【００３５】
図２において、位置決め装置１４が示される。送信手段１６は、第１光導体１８、第２光導体１９、第３光導体２０及び第４光導体２１を有し、各光導体（ｏｐｔｉｃａｌ  ｌｉｇｈｔ  ｇｕｉｄｅ）は、異なる受信方向に配置されている。各自の入開口１８Ａ〜２１Ａに到来し、光導体１８〜２１により回路１５に送信可能な位置決め信号ＬＳの強度は、光導体１８〜２１のセンサ受信１８Ｂ〜２１Ｂの各自の主方向からの光位置決め信号ＬＳの入射方向による偏差に依存し、当該方向は、各自の入開口１８Ａ〜２１Ａの断面積に対する法線（垂線）により基本的には規定される。
【００３６】
回路１５は、回路１５内部、すなわち位置決め対象となるルームエリア１２からの距離に配置され、ルームエリア１２から供給可能な光位置決め信号ＬＳを光受信するよう構成される受信手段１７を有する。このため、受信手段１７は、位置決め信号ＬＳ及び各自のセンサ信号ＳＳ１〜ＳＳ４を送受信するよう構成及び配置された４つの光感知センサ、すなわち、第１センサ２２、第２センサ２３、第３センサ２４及び第４センサ２５を有する。センサ信号ＳＳ１〜ＳＳ４のそれぞれは、位置決め信号ＬＳの強度を表し、当該強度は関連するセンサ２２〜２５において与えられ、上述のように本ケースでは、光導体１８〜２１が有する光における接続する方向に応じた能力によって、また位置決め信号ＬＳが発信されるルームエリア１２に対する範囲に依存する。
【００３７】
回路１５はまた、受信した光位置決め信号ＬＳを利用することにより、すなわち、センサ信号ＳＳ１〜ＳＳ４を利用することにより、受信手段１７、すなわち本質的に基地局２と位置決め信号ＬＳが発信されるルームエリア１２との間の図１に示される距離を表す第１ルームエリア位置決め情報Ｓ１を決定及び発信するよう構成される判定手段２６を有する。さらに、判定手段２６はさらに、受信した光位置決め信号ＬＳを利用することにより、受信手段１７、すなわち本質的には、基地局２の前面２’にある送信手段１６の全体的向きにより規定される主受信方向ＭＤと、位置決め信号ＬＳが発信されるルームエリア１２との間の方向Ｄを表す第２ルームエリア位置決め情報Ｓ２の判断及び発信するよう構成される。このため、判定手段２６は、センサ２２〜２５により発信可能なセンサ信号ＳＳ１〜ＳＳ４を利用することにより、位置決め信号ＬＳが発信され、基地局２からのそれの距離Ｒと基地局２の前面２’に対するそれの方向Ｄに関して位置決め可能なルームエリア１２を特定するよう構成される。
【００３８】
個々の光導体１８〜２１の光接続のための方向に応じた機能により、送信手段１６にそのソースを有する個別の受信セクタが各光導体１８〜２１に対して生成され、この場合、適切な受信セクタから発信され、送信手段１６に対して発信される位置決め信号ＬＳは、光導体１８〜２１のそれぞれに接続可能である。図１において、光導体１８〜２１に関する各自の受信セクタが、そのセクタ境界により図示される。第１セクタ境界Ｂ１１と第２セクタ境界Ｂ１２は、第１光導体１８の受信セクタを規定する。第３セクタ境界Ｂ２１と第４セクタ境界Ｂ２２は、第２光導体１９の受信セクタを規定する。第５セクタ境界Ｂ３１と第６セクタ境界Ｂ３２は、第３光導体２０の受信セクタを規定する。第７セクタ境界Ｂ４１と第８セクタ境界Ｂ４２は、第４光導体２１の受信セクタを規定する。
【００３９】
光導体１８〜２１に属する受信セクタの１つから送信手段１６に発信される位置決め信号ＬＳに対して、各光導体１８〜２１により各自のセンサ２２〜２５に送信され、各センサ２２〜２５において発生する光強度に対して、一方では位置決め信号生成手段１３が送信手段１６から配置される距離または範囲Ｒと、他方ではセクタ境界Ｂ１１とＢ１２、Ｂ２１とＢ２２、Ｂ３１とＢ３２及びＢ４１とＢ４２のそれぞれの間の主センサ受信方向１８Ｂ〜２１Ｂからの光位置決め信号ＬＳの入射方向の偏差とに依存する機能関係が存在する。図３及びより詳細には図４において、各機能関係が示される。図３において、所与の主センサ受信方向１８Ｂ、１９Ｂ、２０Ｂまたは２１Ｂに沿った距離または範囲Ｒに依存する機能関係が、曲線Ｃ１により示される。この場合、送信手段１６の近傍に存在する最大強度Ｉｍａｘから始まり、範囲Ｒが増大するに従って、強度の連続的な減少がある。図４において、各センサ境界Ｂ１１とＢ１２、Ｂ２１とＢ２２、Ｂ３１とＢ３２またはＢ４１とＢ４２それぞれの間の主センサ受信方向１８Ｂ、１９Ｂ、２０Ｂまたは２１Ｂを横切るラインに沿った入射方向の偏差に依存する機能関係が、曲線Ｃ２により受信センサの１つのランダムな地点に対して示される。この場合、セクタ境界Ｂ１１とＢ１２、Ｂ２１とＢ２２、Ｂ３１とＢ３２及びＢ４１とＢ４２からスタートし、それが受信セクタの主受信方向１８Ｂ、１９Ｂ、２０Ｂまたは２１Ｂに実質的に対応する受信セクタの中心領域Ｃにおけるそれの最大値Ｉｍａｘに到達するまで、強度が連続的に増大する。従って、各センサ２２〜２５に存在する強度は、機能関係により与えられる２つの依存性を合成することにより求められ、これが行われるとき、送信手段１６の近傍にある最大高度を有し、増大する範囲Ｒ及び／またはセクタ境界Ｂ１１またはＢ１２、Ｂ２１またはＢ２２、Ｂ３１またはＢ３２若しくはＢ４１またはＢ４２への近接アプローチによりゼロの方向に逓減する山の尾根に類似した三次元強度面が形成される。与えられたケースに存在する強度Ｉは、特定のセンサ信号ＳＳ１〜ＳＳ４により表される。ここで、センサ２２〜２５のそれぞれに対して、機能関係は同一であるということが説明されるべきである。しかしながらまた、異なる機能関係が選択可能である。同様に、同じことがまた送信手段１６、このケースでは特に各セクタ境界により規定される受信セクタの幅のついても真である。
【００４０】
基地局２の前方のルームエリアの相対的に幅の広い領域に対して、受信セクタは少なくとも互いに重複し、このため、センサ信号ＳＳ１〜ＳＳ４の少なくとも２つが同時に利用可能であるという事実によって支援され、基地局２の前方のルームエリアが、判定手段２６を利用して図１において等距離のラインＤ１、Ｄ２、Ｄ３及びＤ４により示されるように、ある程度正確に領域帯域に分割可能である。この場合、等距離ラインＤ１〜Ｄ４のそれぞれは、回路１５または基地局２の前面２’からの所与の距離を示し、これら等距離ラインＤ１〜Ｄ４の間で拡張可能であり、第１ルームエリア位置決め情報Ｓ１により記述可能な識別を有する領域帯域が決定可能である。ここで簡単化のため、図１には４本の等距離ラインＤ１〜Ｄ４しか図示されていないが、範囲に関して基地局２の前方のエリアの実際の分割は、個別のケースに必要とされる精度に適したものとなるよう実質的に自由に調整可能であるということが説明されるべきである。
【００４１】
上記と同様に、基地局２の前方のルームエリアの幅広い領域に対して、受信センサは少なくとも部分的に互いに重複し、これにより、センサ信号ＳＳ１〜ＳＳ４の少なくとも２つが同時に利用可能であるという事実によって、基地局２の前方のエリアが、判定手段２６を用いて図１において等距離ラインＥ１、Ｅ２、Ｅ３、Ｅ４、Ｅ５及びＥ６により示されるように、純粋に計算により比較的に正確に方向領域に分割可能である。この場合、これら等距離ラインＥ１〜Ｅ６のそれぞれは、主方向ＭＤに対し与えられた方向を示しており、等距離ラインＥ１〜Ｅ６の間で拡張され、第２ルームエリア位置決め情報Ｓ２により記述可能な識別を有する方向エリアが決定可能である。範囲帯域数に関して以前の段落で言及されたことは、方向に関する基地局２の前方のルームエリアの分割にも適用可能かつ有効である。
【００４２】
従って、２つのルームエリア位置決め情報Ｓ１及びＳ２を用いて、第１ルームエリア位置決め情報Ｓ１により与えられる識別を有する特定の範囲領域と、第２ルームエリア位置決め情報Ｓ２により与えられる識別を有する特定の範囲領域との共通部分の積であるルームエリアを位置決めすることが可能となる。
【００４３】
本ケースでは、各センサ２２〜２５が位置決め信号ＬＳを受信可能な複数の判定可能ルームエリアと関連付けされるように、センサ２２〜２５は送信手段１６に関して構成及び配置される。そのような場合に本ケースでは、異なる、実質的に隣接したセクタ２２〜２５に関連付けされた判定可能ルームエリア間の方向に関する重複が生じる。しかしながらここでは、例えば、何れかの受信セクタに対し行われた範囲に関するルームエリアの分割が隣接する受信セクタに対してなされたものと異なる場合（本ケースでは本質的な項目に減少された図１のエリアを示す図７に示されるように）、判定可能ルームエリア間の距離に関する重複がまた存在するかもしれないということが説明されるべきである。この事態は、さらなる等距離ラインＤ１’、Ｄ２’、Ｄ１”及びＤ２”により示される。
【００４４】
センサ２２〜２５は光トランジスタの形態により実現され、各光トランジスタは、それの光感知領域が各自に関連付けされた光導体１８〜２１の光出射面１８Ｃ〜２１Ｃに実質的に並行に方向付けされ、その近傍に配置されるように構成及び配置され、この結果、センサ２２〜２５の場合におそらく存在する可能性がある光に対する方向依存感度を実質的に無視できる。
【００４５】
ここで、センサ２２〜２５は光に対する方向依存的感度を有するようにしてもよく、当該感度は通常は図４の曲線Ｃ３により示されるコサイン関数に従属するため、受信セクタの対し比較的に大きな幅を設定するということが述べられるべきである。これに関して、曲線Ｃ２とＣ３を比較することにより図４から理解できるように、センサ２２〜２５のレンズまたはレンズ同様のハウジング、または回路１５のレンズに適したハウジングを設けることにより、あるいは上述のように、光導体１８〜２１を設けることにより、受信セクタにおける光に対する感度は中心領域Ｃを包囲するエリアにフォーカスまたは焦点を合わせることができ、これにより、特に３以上のセンサが使用されるとき、位置決め信号生成手段を十分な精度により配置することが可能となる。また、光トランジスタには一般的であるように、他のタイプのセンサが利用されるとき、異なるスケーリングを有する機能が存在していてもよいが、図３のラインＣ１により示される機能が１／Ｒ２だけスケーリングされる。
【００４６】
システム１では、音声チャネル信号生成手段１１と位置決め装置１４は、回路１５により生成可能なルームエリア位置決め情報Ｓ１及びＳ２を考慮することにより、５つの音声チャネル信号Ａ１〜Ａ５が生成可能な音声信号発信システム２７を形成する。音声信号発信システム２７はまた、回路１５または基地局２と５つのラウドスピーカー４〜８との間の相対的な配置を表す第１位置情報ＰＩ１を格納するための第１メモリステージ２８を有する。第１位置情報ＰＩ１は、図１には示されない入力手段を用いて、ユーザにより基地局２において生成可能である。２つのルームエリア位置決め情報Ｓ１及びＳ２を考慮することに加えて、音声チャネル信号生成手段１１はまた、第１位置情報ＰＩ１を用いることにより、位置決めされたルームエリア１２に音声チャネル信号Ａ１〜Ａ５を調整するよう構成され、これにより、ラウドスピーカー４〜８の当該時点における位置または可変位置が許容されることが保証される。
【００４７】
図１に示されるシステム１の例示的な適用を参照して、システム１の動作が以下で説明される。この例示的な適用では、ユーザは一方においてルームエリア１２にリモコン装置１３を保持していることが仮定される。ユーザがリモコン装置１３上のスタートキー１３Ｂを押下すると、基地局２の機能を制御するため、いわゆる赤外線ダイオード１３Ａを介しリモコン装置１３により光制御信号ＬＳが発信される。
【００４８】
ルームエリア１２を配置するため、位置決め信号ＬＳが発信されるルームエリアを位置決めする方法が、回路１５により基地局において実行される。リモコン装置１３からの光制御信号により形成される位置決め信号ＬＳが、当該方法により利用される。本方法では、光制御信号ＬＳは、位置決め対象となるルームエリアからある距離にある地点において光受信される。それは実際には、光制御信号ＬＳは２つの光導体１９及び２０の受信セクタ内にあるルームエリア１２から発信されるため、位置決め信号ＬＳまたは、光導体１９及び２０に結合された位置決め信号ＬＳの比例的強度がセンサ２３及び２４に送信される送信手段１６またはより正確には光導体１９及び２０によって、基地局２または基地局２に含まれる位置決め装置１４において発生する。本方法によると、各比例的強度は、２つのセンサ２３と２４により受信され、それらにそれぞれ対応するセンサ信号ＳＳ２とＳＳ３が生成される。各センサ信号ＳＳ２及びＳＳ３は、所与のセンサ２２〜２５において与えられる光の強度に対する数値を表し、当該数値はセクタ境界Ｂ２１とＢ２２、並びにＢ３１とＢ３２との間のリモコン装置１３の位置、すなわち、送信手段１６への方向Ｄ及び距離Ｒに対応する。
【００４９】
本方法によると、位置決め信号ＬＳが発信されるルームエリア１２は、受信した光制御信号を用いることにより、あるいはより正確にはセンサ２２〜２５により発信されたセンサ信号ＳＳ１〜ＳＳ３を用いることにより判定手段２６により位置決めされる。当該処理において、第１ルームエリア位置決め情報Ｓ１が決定され、音声チャネル信号生成手段１１に送信される。さらに、第２ルームエリア位置決め情報Ｓ２が決定され、音声チャネル信号生成手段１１に送信される。
【００５０】
２つのルームエリア位置決め情報Ｓ１及びＳ２は、等距離ラインＥ３及び４と等距離ラインＤ２及びＤ３により画定されるルームエリア１２として位置決め信号ＬＳが発信されるルームエリアを位置決めする。これら２つのルームエリア位置決め情報Ｓ１とＳ２は、ユーザが期待または所望するマルチチャネル音声効果を生成するため、位置決めされたルームエリア１２に音声チャネル信号Ａ１〜Ａ５を調整するため音声チャネル信号生成手段１１において利用される。
【００５１】
図５に示される位置決め装置１４は、位置決め信号ＬＳが発信されるルームエリア１２が、本ケースでは自由に規定される装置の主受信方向ＭＤに対するそれの方向Ｄと位置決め装置１４からのそれの領域Ｒとに関して、位置決め装置１４または回路１５により位置決め可能となるとともに、位置決め装置１４の任意の所望の方向に位置決めされることを可能にするため、周辺に配置された受信手段１７及び送信手段１６を有する。このタイプの位置決め装置１４の構成は、例えば、位置決め装置１４が基地局２の上面に搭載され、基地局がルームの中心地点に配置され、位置決め信号が基地局２の前面２’が確認できない方向から受信される必要がある確率が高いとき、興味がある。このタイプの構成は、例えば、家具への適合に興味がある。
【００５２】
本ケースでは、光トランジスタ２９〜３６が受信手段１７を構成する８つの光トランジスタ２９〜３６が設けられる。隣接する光トランジスタ２９〜３６に属する受信セクタの間に最適な重複が取得されるように、光トランジスタには８つのレンズ３７〜４４の１つが設けられる。図５において、８つの受信セクタは、各自のセクタ境界４５と４６、４７と４８、４９と５０、５１と５２、５３と５４、５５と５６、５７と５８、及び５９と６０により規定される。センサ２０〜３６は、８つのセンサ信号ＳＳ５〜ＳＳ１２のそれぞれを判定手段２６に送信する。
【００５３】
受信手段１７と送信手段１６は基地局２の上面に平行に配置される必要はなく、ある角度で配置されてもよく、これにより、位置決め信号ＬＳが基地局２のやや上方の方向から受信されることを容易にするということが述べられるべきである。このように配置された位置決め装置４はまた、例えば、リビングのテーブルに適合させるのに適したものとなり、この場合、２つのルームエリア位置決め情報Ｓ１及びＳ２が適切な方法により基地局２に送信可能であることが保証される必要がある。
【００５４】
図６において、位置決め装置１４の断面が示されている。位置決め装置１４は、半円ＣＲの表面に沿って配置された受信手段１７を有する。この場合もまた、受信手段１７は、各々にレンズが設けられている光トランジスタの形態により実現される。従って、レンズにより構成される送信手段１６もまた、半円ＣＲの表面に沿って構成される。本ケースでは、断面図に見ることができる光トランジスタ６１〜６３の受信セクタは、各自のセクタ境界６７と６８、６９と７０、７１と７２により規定される。位置決め装置１４のこの構成は、例えば、位置決め信号生成手段１３の位置がルームの３つの座標に分解されときに効果的である。このように構成された位置決め装置は、例えば、この場合には２つのルームエリア位置決め情報Ｓ１及びＳ２が適切に基地局２に送信可能となることを保証される必要があるが、リビングの天井に適合させるのに適している。
【００５５】
基地局２から取り外された地点において利用される図５及び６に示される位置決め装置４に対して、それは、音声チャネル信号生成手段１１により処理可能であり、位置決め装置１４と基地局２との間、あるいは位置決め装置１４とラウドスピーカー４〜８の間の相対位置の表示が第１メモリステージ２８に格納されている場合に効果的である。
【００５６】
図７において、位置決め装置１４に含まれる回路１５を有する受信基地局７５’を有する音声信号受信システム７５が示される。音声信号受信システム７５はまた、５つのマイクロフォン７６〜８０と音声チャネル信号処理ステージ８１により構成される音声チャネル信号受信手段を有する。マイクロフォン７６〜８０は、受信基地局７５’、すなわち、音声チャネル信号処理ステージ８１に接続される。マイクロフォン７６〜８０は、５つのアコースティック音声チャネル信号Ａ１〜Ａ５を受信し、当該信号を受信基地局７５’に電子形式により送信するよう構成される。
【００５７】
回路１５により生成されるルームエリア位置決め情報Ｓ１及びＳ２を考慮することにより、音声信号受信手段は、ルームエリア位置決め情報Ｓ１及びＳ２により表されるルームエリア１２に音声チャネル信号受信手段の受信特性を調整するよう構成される。このため、本ケースでは、電子形式で受信可能な音声チャネル信号Ａ１〜Ａ５の周波数応答及び振幅は、音声チャネル信号処理ステージ８１を用いて変更される。
【００５８】
しかしながらこれに関して、マイクロフォン７６〜８０はまた、指向性マイクロフォンの形態をとるようにしてもよく、指向性マイクロフォンの向きまたは配置は、音声チャネル信号処理手段８１により変更可能であるということが述べられるべきである。さらに、ルームエリア位置決め情報Ｓ１及びＳ２に基づき音声チャネル信号Ａ１〜Ａ５に対して変更される個々の信号遅延が設けられてもよい。
【００５９】
音声信号受信システム７５はまた、回路１５、すなわち実質的には受信基地局７５’と５つのマイクロフォン７６〜８０との間の相対位置を表す第２位置情報ＰＩ２を格納するための第２メモリステージ８２を有する。さらに、音声チャネル信号処理手段８１は、ルームエリア位置決め情報Ｓ１及びＳ２を用いることにより、位置決めされたルームエリア１２に受信特性を調整するよう構成される。第２位置情報ＰＩ２が、図８には図示されていない入力手段を介しユーザにより入力可能である。
【００６０】
位置決め装置１４はまた、集積半導体モジュールの形態により実現可能であり、この場合、回路１５はセンサを有する集積回路により構成され、半導体モジュールの筺体は、送信手段を有するということが述べられるべきである。
【００６１】
さらに、所与のセンサに与えられる位置決め信号ＬＳの強度はまた、受信信号の周波数により表すことが可能であるということが述べられるべきである。
【００６２】
また、センサ及びそれに係る送信手段は、構造ユニットを形成するようにしてもよいということが述べられるべきである。
【図面の簡単な説明】
【００６３】
【図１】図１は、本発明の第１実施例による位置決め装置を有する音声信号発信システムのブロック図形式による概略図である。
【図２】図２は、図１の位置決め装置を図１と同様にしてより詳細に示す。
【図３】図３は、図２に示される位置決め装置のセンサに損際する位置決め信号の強度と位置決め信号生成手段と位置決め装置との間の距離との間の機能関係を示す。
【図４】図４は、図２に示された位置決め装置のセンサに存在する位置決め信号の強度と、センサの主受信方向からセンサ上に入射された位置決め信号の方向の偏差との間の第２の機能関係を示す。
【図５】図５は、本発明の第２実施例による位置決め装置を図２と同様に示す。
【図６】図６は、本発明の第３実施例による位置決め装置を図２と同様に示す。
【図７】図７は、位置決め装置の複数の隣接する受信センサの領域ゾーン間の重複を図１の詳細形式により示す。
【図８】図８は、図２に示されるような位置決め装置を有する音声信号受信システムを図１と同様に示す。
【図１】
2006527954.tif 000003
【図２】
2006527954.tif 000004
【図３】
2006527954.tif 000005
【図４】
2006527954.tif 000006
【図５】
2006527954.tif 000007
【図６】
2006527954.tif 000008
【図７】
2006527954.tif 000009
【図８】
2006527954.tif 000010
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
位置決め信号生成手段により生成及び発信される光位置決め信号の発信元となるルームエリアを位置決めする位置決め装置のための回路を有する音声信号受信システムであって、
前記回路は、位置決め対象となる前記ルームエリアからの距離に配置され、前記ルームエリアから供給可能な前記光位置決め信号を光受信するよう構成された受信手段と、前記受信した光位置決め信号を用いることにより、前記受信手段と前記ルームエリアとの間の距離を表すルームエリア位置決め情報の第１アイテムを決定及び発信するよう構成される判定手段とを有し、
当該音声信号受信システムは、各音声チャネル信号が該音声チャネル信号に係る音声受信手段を介し受信可能であって、マルチチャネル音声効果を生成するのに適した少なくとも２つの音声チャネル信号を受信するよう構成され、前記回路により生成可能なルームエリア位置決め情報の少なくとも１つのアイテムを考慮することによって、前記音声受信手段の受信特性を前記ルームエリア位置決め情報の少なくとも１つのアイテムにより表されるルームエリアに調整するよう構成される音声チャネル信号受信手段を有することを特徴とする音声信号受信システム。
【請求項２】
請求項１記載の音声信号受信システムであって、
前記判定手段はさらに、前記受信した光位置決め信号を用いることにより、前記受信手段と前記ルームエリアとの間の方向を表すルームエリア位置決め情報の第２アイテムを決定及び発信するよう構成されることを特徴とするシステム。
【請求項３】
請求項１又は２記載の音声信号受信システムであって、
前記判定手段は、リモコン装置により生成可能であって、前記光位置決め信号を形成する光制御信号を処理し、前記光制御信号を用いることにより前記ルームエリアを位置決めするよう構成されることを特徴とするシステム。
【請求項４】
請求項１又は２記載の音声信号受信システムであって、
前記受信手段は、各々が前記位置決め信号を受信し、各センサから該センサにおいて与えられる前記位置決め信号の強度を表すセンサ信号を発信するよう構成及び配置される少なくとも２つの光感知センサを有し、
前記判定手段は、前記センサにより発信可能なセンサ信号を用いることにより前記位置決め信号の発信元となるルームエリアを位置決めするよう構成される、
ことを特徴とするシステム。
【請求項５】
請求項４記載の音声信号受信システムであって、
前記少なくとも２つの光感知センサは、各センサが受信可能であって、前記位置決め信号のもとになる少なくとも１つの受信セクタを前記センサと関連付けるように構成及び配置されることを特徴とするシステム。
【請求項６】
請求項５記載の音声信号受信システムであって、
前記少なくとも２つの光感知センサは、該センサに係る各受信セクタが少なくとも部分的に互いに重複するよう構成及び配置されることを特徴とするシステム。
【請求項７】
請求項１記載の音声信号受信システムであって、
前記回路と前記各音声受信手段との間の相対位置を表す位置情報の第２アイテムを格納するための第２メモリステージが設けられ、
当該音声チャネル信号受信手段はさらに、前記ルームエリア位置決め情報の少なくとも１つのアイテムを用いることにより位置決めされたルームエリアに前記受信特性を調整するよう構成される、
ことを特徴とするシステム。
【手続補正２】
【補正対象書類名】明細書
【補正対象項目名】全文
【補正方法】変更
【補正の内容】
【発明の詳細な説明】
【技術分野】
【０００１】
本発明は、音声信号受信システムに関する。
【背景技術】
【０００２】
特許文献ＥＰ０５６８７１６Ａ１から知られるような音声信号発信システムは、既知の回路を有するセンサの形式により実現される既知の位置決め装置を有するステレオラウドスピーカーエンクロージャ（ｓｔｅｒｅｏ  ｌｏｕｄｓｐｅａｋｅｒ  ｅｎｃｌｏｓｕｒｅ）の形式により実現される。この既知の位置決め装置は、聴取エリア、すなわち、ステレオラウドスピーカーエンクロージャの前方のルームエリアからの赤外線信号により形成される位置決め信号を光受信するよう構成される。既知の位置決め装置はさらに、位置決め信号が発信される聴取エリアを位置決めするよう構成され、その後、位置決めされた聴取エリアと相関する２つのツイータ（ｔｗｅｅｔｅｒ）の回転が、２つの音声チャネル信号の発信が位置決めされた聴取エリアに調整され得るように、既知の音声信号発信システムにおいて実行される。
【０００３】
しかしながら、既知の回路、既知の位置決め装置及び既知の音声信号発信システムによると、位置決め信号が発信されるルームエリアの位置決めは、位置決め装置の前方にあるレベル範囲で存在する方向にのみ行われ、このことは、音声チャネル信号の発信がステレオラウドスピーカーエンクロージャの前方のルームにおいて決定されるある範囲の方向にのみしか調整できないということを意味し、当該方向範囲は、センサから位置決め信号を生成する位置決め信号生成手段に、そしてそれを超えて拡張する。
【発明の開示】
【発明が解決しようとする課題】
【０００４】
本発明の課題は、上記問題点を解決し、新規な音声信号受信システムを提供することである。
【課題を解決するための手段】
【０００５】
上記課題を解決するため、本発明による特徴は、本発明による音声信号受信システムにおいて提供され、これにより、本発明による音声信号受信システムが後述されるように特徴付けされることを可能にする。
【０００６】
すなわち、位置決め信号生成手段により生成及び発信される光位置決め信号の発信元となるルームエリアを位置決めする位置決め装置のための回路を有する音声信号受信システムであって、前記回路は、位置決め対象となる前記ルームエリアからの距離に配置され、前記ルームエリアから供給可能な前記光位置決め信号を光受信するよう構成された受信手段と、前記受信した光位置決め信号を用いることにより、前記受信手段と前記ルームエリアとの間の距離を表すルームエリア位置決め情報の第１アイテムを決定及び発信するよう構成される判定手段とを有し、当該音声信号受信システムは、各音声チャネル信号が該音声チャネル信号に係る音声受信手段を介し受信可能であって、マルチチャネル音声効果を生成するのに適した少なくとも２つの音声チャネル信号を受信するよう構成され、前記回路により生成可能なルームエリア位置決め情報の少なくとも１つのアイテムを考慮することによって、前記音声受信手段の受信特性を前記ルームエリア位置決め情報の少なくとも１つのアイテムにより表されるルームエリアに調整するよう構成される音声チャネル信号受信手段を有することを特徴とする音声信号受信システムである。
【０００７】
本発明による規定により、位置決め信号が発信されるルームエリアが回路の受信手段からの領域に関して分類可能となる効果が、本発明による音声受信システムにより取得される。これは特に、音声信号受信手段を用いることにより受信される音声チャネル信号が、再生時にマルチチャネル音声効果が生成されることを可能にするものであるときに効果的である。さらに、光位置決め信号の処理は、ユーザには迷惑な音声位置決め信号が、回路の受信手段と位置決め信号生成手段との間の距離を決定するのに不要とすることができるという効果を与える。
【０００８】
本発明による手段では、請求項２により各ケースにおいて示される規定がなされる場合、効果的であることがわかる。これは、受信手段にアクセス可能なルームエリアが、方向と領域の両方により位置決め信号が受信可能なルームエリアに分解または分割可能となる効果を与える。これは特に、それが単一の位置決め装置を用いることにより位置決め信号が発信されるルームエリアを位置決めする問題であるとき効果的であり、当該位置決め装置は、可能な限り省スペースにより位置決め信号が発信されるルームエリアからの通常の視覚的接触が存在する地点に配置され、例えばユーザにより引き起こされるシャドーイング効果が予想される必要はない。
【０００９】
本発明による手段では、例えば、白熱ランプやレーザポインタを用いて位置決め信号生成手段が形成される規定がなされてもよい。しかしながら、本発明による一手段では、さらに請求項３の各ケースにおいて示される規定がなされる場合、特に効果的であることがわかる。これは、リモコン装置がシステムを制御するのに使用される場合、位置決め信号が発信されるルームエリアが自動的に直接、すなわち、ユーザに感知されることなく決定されるという効果を与える。これはさらに、システムを再度使用するとき、システムのユーザが位置決め信号が発信されるルームエリアの判断を手動により、すなわち、意識的に作動させることを単に忘れたため、過去からのルームエリア情報が不意に使用されないという効果を与える。
【００１０】
本発明による手段では、さらに請求項４の各ケースにおいて請求される特徴が設けられる場合、効果的であることがかわる。これは、位置決め信号が発信されるルームエリアの決定が、比較的に高い精度と繰り返し可能性により実行されるという効果を与える。
【００１１】
本発明による手段では、さらに請求項５の各ケースにおいて請求される特徴が設けられる場合、効果的であることがかわる。これは、位置決め信号が発信されるルームスペース
の全体がセンサを用いて、すなわち、適切にセンサを配置または方向付けすることにより、またセンサがその指向性特性に関して適切なものとなるよう配置することにより、比較的正確に分割することができるという効果を与える。
【００１２】
本発明による手段では、さらに請求項６の各ケースにおいて示される規定がなされる場合、効果的であることがわかる。これは、十分多数のセンサを用いることにより、位置決め信号が発信されるルームエリアが問題なく決定可能となり、ルームエリアの位置決めが可能となるのに十分な個数のセンサを設けることができない端の領域が実質的に回避されるという効果を与える。
【００１３】
本発明による音声信号受信システムでは、さらに請求項７に示される規定がなされる場合、効果的であるということがわかる。これは、ルームエリア位置決め情報に基づき、受信特性の調整が最適化可能となるという効果を与える。
【００１４】
本発明の上記及び他の特徴は、本発明が以下に限定されるものとみなされるものではないが、後述される実施例を参照することにより明らかにされる。
【発明を実施するための最良の形態】
【００１５】
図１において、システム１、いわゆる、ＤＶＤに記録された映画の音声映像再生用に構成された家庭用映画システムが示されている。このため、システム１は、ＤＶＤを挿入可能であり、ＤＶＤに記録された映画を再生可能な基地局２を有する。基地局２には、表示画面３が接続されている。基地局２には、音声生成手段、すなわち、第１ラウドスピーカー４、第２ラウドスピーカー５、第３ラウドスピーカー６、第４ラウドスピーカー７及び第５ラウドスピーカー８が接続されている。映画が再生されているとき、映像信号Ｖは基地局２により表示画面３に送信することができる。当該映像信号Ｖは、ＤＶＤに格納されている映像情報を表す。基地局２により、第１音声チャネル信号Ａ１を第１ラウドスピーカー４に、第２音声チャネル信号Ａ２を第２ラウドスピーカー５に、第３音声チャネル信号Ａ３を第３ラウドスピーカー６に、第４音声チャネル信号Ａ４を第４ラウドスピーカー７に、第５音声チャネル信号Ａ５を第５ラウドスピーカー８に送信可能であり、ここで、音声チャネル信号Ａ１〜Ａ５は、ＤＶＤに格納されているデジタルマルチチャネル音声情報を表す。各々が各自に割当てられたラウドスピーカー４〜８からの発信のための５つの音声チャネル信号Ａ１〜Ａ５により、劇場や映画館で生成可能なマルチチャネル音声に類似したマルチチャネル音声効果は、音声チャネル信号Ａ１〜Ａ５が調整されるルームエリアのシステム１のユーザに対して生成可能である。
【００１６】
映像信号Ｖと音声チャネル信号Ａ１〜Ａ５を生成するため、基地局２は、映画を表すＤＶＤに格納されているデータへの読出しアクセスのため構成されるＤＶＤドライブ９を有する。ＤＶＤドライブ９は、当該データに含まれる映像データＶＤと音声データＡＤを発信するよう構成される。ここで、当該音声データＡＤは、デジタルマルチチャネル音声情報を表す。
【００１７】
基地局２はまた、映像データＶＤを受信するよう構成された映像信号生成手段１０を有する。映像信号生成手段１０はさらに、映像データＶＤを用いて映像データＶＤを表す映像信号Ｖを生成及び発するよう構成される。
【００１８】
基地局２はまた、音声データＡＤを受信するよう構成される音声チャネル信号生成手段１１を有する。音声チャネル信号生成手段１１はさらに、第１ルームエリア位置決め情報Ｓ１と第２ルームエリア位置決め情報Ｓ２を受信するよう構成される。２つのルームエリア位置決め情報Ｓ１及びＳ２を利用して、位置決め信号ＬＳが基地局２に送信されたルームエリア１２を特定することが可能となる。ルームエリア１２の位置と、ルームエリア位置決め情報Ｓ１及びＳ２の生成が以下で詳細に観察される。２つのルームエリア位置決め情報Ｓ１及びＳ２を考慮し、音声データＡＤを利用することにより、音声チャネル信号生成手段１１が、マルチチャネル音声効果を生成するのに適した５つの音声チャネル信号Ａ１〜Ａ５を生成及び発信するよう構成され、これにより、位置決め信号ＬＳを発信するルームエリア１２においてマルチチャネル音声効果を生成することが可能となり、当該ルームエリア１２に対し、音声チャネル信号Ａ１〜Ａ５が２つのルームエリア位置決め情報Ｓ１及びＳ２を考慮することにより調整された。音声チャネル信号生成手段１１は、いわゆるマルチチャネル音声プロセッサにより実現される。
【００１９】
ルームエリア１２の内部に、ユーザ（図１には図示せず）により操作可能なリモコン装置１３が示される。リモコン装置１３は、リモコン装置１３がユーザにより操作されると、基地局２の機能を制御するためリモコン装置１３により生成可能な光制御信号により本ケースでは形成される光位置決め信号ＬＳを生成及び発信するよう構成された位置決め信号生成手段が実現されるような形態をとる。
【００２０】
２つのルームエリア位置決め情報Ｓ１及びＳ２を生成するため、基地局２はまた、リモコン装置１３により生成及び発信される光位置決め信号ＬＳが発信されるルームエリアを位置決めするよう構成される位置決め装置１４を有する。当該位置決め装置１４は、回路１５と送信手段１６を有する。
【００２１】
送信手段１６は、判断対象となるルームエリア１２から発信され、送信手段１６において生成される光位置決め信号ＬＳが、送信手段１６により回路１５に供給可能となるよう光学的に動作可能となるよう構成される。
【００２２】
図２において、位置決め装置１４が示される。送信手段１６は、第１光導体１８、第２光導体１９、第３光導体２０及び第４光導体２１を有し、各光導体（ｏｐｔｉｃａｌ  ｌｉｇｈｔ  ｇｕｉｄｅ）は、異なる受信方向に配置されている。各自の入開口１８Ａ〜２１Ａに到来し、光導体１８〜２１により回路１５に送信可能な位置決め信号ＬＳの強度は、光導体１８〜２１のセンサ受信１８Ｂ〜２１Ｂの各自の主方向からの光位置決め信号ＬＳの入射方向による偏差に依存し、当該方向は、各自の入開口１８Ａ〜２１Ａの断面積に対する法線（垂線）により基本的には規定される。
【００２３】
回路１５は、回路１５内部、すなわち位置決め対象となるルームエリア１２からの距離に配置され、ルームエリア１２から供給可能な光位置決め信号ＬＳを光受信するよう構成される受信手段１７を有する。このため、受信手段１７は、位置決め信号ＬＳ及び各自のセンサ信号ＳＳ１〜ＳＳ４を送受信するよう構成及び配置された４つの光感知センサ、すなわち、第１センサ２２、第２センサ２３、第３センサ２４及び第４センサ２５を有する。センサ信号ＳＳ１〜ＳＳ４のそれぞれは、位置決め信号ＬＳの強度を表し、当該強度は関連するセンサ２２〜２５において与えられ、上述のように本ケースでは、光導体１８〜２１が有する光における接続する方向に応じた能力によって、また位置決め信号ＬＳが発信されるルームエリア１２に対する範囲に依存する。
【００２４】
回路１５はまた、受信した光位置決め信号ＬＳを利用することにより、すなわち、センサ信号ＳＳ１〜ＳＳ４を利用することにより、受信手段１７、すなわち本質的に基地局２と位置決め信号ＬＳが発信されるルームエリア１２との間の図１に示される距離を表す第１ルームエリア位置決め情報Ｓ１を決定及び発信するよう構成される判定手段２６を有する。さらに、判定手段２６はさらに、受信した光位置決め信号ＬＳを利用することにより、受信手段１７、すなわち本質的には、基地局２の前面２’にある送信手段１６の全体的向きにより規定される主受信方向ＭＤと、位置決め信号ＬＳが発信されるルームエリア１２との間の方向Ｄを表す第２ルームエリア位置決め情報Ｓ２の判断及び発信するよう構成される。このため、判定手段２６は、センサ２２〜２５により発信可能なセンサ信号ＳＳ１〜ＳＳ４を利用することにより、位置決め信号ＬＳが発信され、基地局２からのそれの距離Ｒと基地局２の前面２’に対するそれの方向Ｄに関して位置決め可能なルームエリア１２を特定するよう構成される。
【００２５】
個々の光導体１８〜２１の光接続のための方向に応じた機能により、送信手段１６にそのソースを有する個別の受信セクタが各光導体１８〜２１に対して生成され、この場合、適切な受信セクタから発信され、送信手段１６に対して発信される位置決め信号ＬＳは、光導体１８〜２１のそれぞれに接続可能である。図１において、光導体１８〜２１に関する各自の受信セクタが、そのセクタ境界により図示される。第１セクタ境界Ｂ１１と第２セクタ境界Ｂ１２は、第１光導体１８の受信セクタを規定する。第３セクタ境界Ｂ２１と第４セクタ境界Ｂ２２は、第２光導体１９の受信セクタを規定する。第５セクタ境界Ｂ３１と第６セクタ境界Ｂ３２は、第３光導体２０の受信セクタを規定する。第７セクタ境界Ｂ４１と第８セクタ境界Ｂ４２は、第４光導体２１の受信セクタを規定する。
【００２６】
光導体１８〜２１に属する受信セクタの１つから送信手段１６に発信される位置決め信号ＬＳに対して、各光導体１８〜２１により各自のセンサ２２〜２５に送信され、各センサ２２〜２５において発生する光強度に対して、一方では位置決め信号生成手段１３が送信手段１６から配置される距離または範囲Ｒと、他方ではセクタ境界Ｂ１１とＢ１２、Ｂ２１とＢ２２、Ｂ３１とＢ３２及びＢ４１とＢ４２のそれぞれの間の主センサ受信方向１８Ｂ〜２１Ｂからの光位置決め信号ＬＳの入射方向の偏差とに依存する機能関係が存在する。図３及びより詳細には図４において、各機能関係が示される。図３において、所与の主センサ受信方向１８Ｂ、１９Ｂ、２０Ｂまたは２１Ｂに沿った距離または範囲Ｒに依存する機能関係が、曲線Ｃ１により示される。この場合、送信手段１６の近傍に存在する最大強度Ｉｍａｘから始まり、範囲Ｒが増大するに従って、強度の連続的な減少がある。図４において、各センサ境界Ｂ１１とＢ１２、Ｂ２１とＢ２２、Ｂ３１とＢ３２またはＢ４１とＢ４２それぞれの間の主センサ受信方向１８Ｂ、１９Ｂ、２０Ｂまたは２１Ｂを横切るラインに沿った入射方向の偏差に依存する機能関係が、曲線Ｃ２により受信センサの１つのランダムな地点に対して示される。この場合、セクタ境界Ｂ１１とＢ１２、Ｂ２１とＢ２２、Ｂ３１とＢ３２及びＢ４１とＢ４２からスタートし、それが受信セクタの主受信方向１８Ｂ、１９Ｂ、２０Ｂまたは２１Ｂに実質的に対応する受信セクタの中心領域Ｃにおけるそれの最大値Ｉｍａｘに到達するまで、強度が連続的に増大する。従って、各センサ２２〜２５に存在する強度は、機能関係により与えられる２つの依存性を合成することにより求められ、これが行われるとき、送信手段１６の近傍にある最大高度を有し、増大する範囲Ｒ及び／またはセクタ境界Ｂ１１またはＢ１２、Ｂ２１またはＢ２２、Ｂ３１またはＢ３２若しくはＢ４１またはＢ４２への近接アプローチによりゼロの方向に逓減する山の尾根に類似した三次元強度面が形成される。与えられたケースに存在する強度Ｉは、特定のセンサ信号ＳＳ１〜ＳＳ４により表される。ここで、センサ２２〜２５のそれぞれに対して、機能関係は同一であるということが説明されるべきである。しかしながらまた、異なる機能関係が選択可能である。同様に、同じことがまた送信手段１６、このケースでは特に各セクタ境界により規定される受信セクタの幅のついても真である。
【００２７】
基地局２の前方のルームエリアの相対的に幅の広い領域に対して、受信セクタは少なくとも互いに重複し、このため、センサ信号ＳＳ１〜ＳＳ４の少なくとも２つが同時に利用可能であるという事実によって支援され、基地局２の前方のルームエリアが、判定手段２６を利用して図１において等距離のラインＤ１、Ｄ２、Ｄ３及びＤ４により示されるように、ある程度正確に領域帯域に分割可能である。この場合、等距離ラインＤ１〜Ｄ４のそれぞれは、回路１５または基地局２の前面２’からの所与の距離を示し、これら等距離ラインＤ１〜Ｄ４の間で拡張可能であり、第１ルームエリア位置決め情報Ｓ１により記述可能な識別を有する領域帯域が決定可能である。ここで簡単化のため、図１には４本の等距離ラインＤ１〜Ｄ４しか図示されていないが、範囲に関して基地局２の前方のエリアの実際の分割は、個別のケースに必要とされる精度に適したものとなるよう実質的に自由に調整可能であるということが説明されるべきである。
【００２８】
上記と同様に、基地局２の前方のルームエリアの幅広い領域に対して、受信センサは少なくとも部分的に互いに重複し、これにより、センサ信号ＳＳ１〜ＳＳ４の少なくとも２つが同時に利用可能であるという事実によって、基地局２の前方のエリアが、判定手段２６を用いて図１において等距離ラインＥ１、Ｅ２、Ｅ３、Ｅ４、Ｅ５及びＥ６により示されるように、純粋に計算により比較的に正確に方向領域に分割可能である。この場合、これら等距離ラインＥ１〜Ｅ６のそれぞれは、主方向ＭＤに対し与えられた方向を示しており、等距離ラインＥ１〜Ｅ６の間で拡張され、第２ルームエリア位置決め情報Ｓ２により記述可能な識別を有する方向エリアが決定可能である。範囲帯域数に関して以前の段落で言及されたことは、方向に関する基地局２の前方のルームエリアの分割にも適用可能かつ有効である。
【００２９】
従って、２つのルームエリア位置決め情報Ｓ１及びＳ２を用いて、第１ルームエリア位置決め情報Ｓ１により与えられる識別を有する特定の範囲領域と、第２ルームエリア位置決め情報Ｓ２により与えられる識別を有する特定の範囲領域との共通部分の積であるルームエリアを位置決めすることが可能となる。
【００３０】
本ケースでは、各センサ２２〜２５が位置決め信号ＬＳを受信可能な複数の判定可能ルームエリアと関連付けされるように、センサ２２〜２５は送信手段１６に関して構成及び配置される。そのような場合に本ケースでは、異なる、実質的に隣接したセクタ２２〜２５に関連付けされた判定可能ルームエリア間の方向に関する重複が生じる。しかしながらここでは、例えば、何れかの受信セクタに対し行われた範囲に関するルームエリアの分割が隣接する受信セクタに対してなされたものと異なる場合（本ケースでは本質的な項目に減少された図１のエリアを示す図７に示されるように）、判定可能ルームエリア間の距離に関する重複がまた存在するかもしれないということが説明されるべきである。この事態は、さらなる等距離ラインＤ１’、Ｄ２’、Ｄ１”及びＤ２”により示される。
【００３１】
センサ２２〜２５は光トランジスタの形態により実現され、各光トランジスタは、それの光感知領域が各自に関連付けされた光導体１８〜２１の光出射面１８Ｃ〜２１Ｃに実質的に並行に方向付けされ、その近傍に配置されるように構成及び配置され、この結果、センサ２２〜２５の場合におそらく存在する可能性がある光に対する方向依存感度を実質的に無視できる。
【００３２】
ここで、センサ２２〜２５は光に対する方向依存的感度を有するようにしてもよく、当該感度は通常は図４の曲線Ｃ３により示されるコサイン関数に従属するため、受信セクタの対し比較的に大きな幅を設定するということが述べられるべきである。これに関して、曲線Ｃ２とＣ３を比較することにより図４から理解できるように、センサ２２〜２５のレンズまたはレンズ同様のハウジング、または回路１５のレンズに適したハウジングを設けることにより、あるいは上述のように、光導体１８〜２１を設けることにより、受信セクタにおける光に対する感度は中心領域Ｃを包囲するエリアにフォーカスまたは焦点を合わせることができ、これにより、特に３以上のセンサが使用されるとき、位置決め信号生成手段を十分な精度により配置することが可能となる。また、光トランジスタには一般的であるように、他のタイプのセンサが利用されるとき、異なるスケーリングを有する機能が存在していてもよいが、図３のラインＣ１により示される機能が１／Ｒ２だけスケーリングされる。
【００３３】
システム１では、音声チャネル信号生成手段１１と位置決め装置１４は、回路１５により生成可能なルームエリア位置決め情報Ｓ１及びＳ２を考慮することにより、５つの音声チャネル信号Ａ１〜Ａ５が生成可能な音声信号発信システム２７を形成する。音声信号発信システム２７はまた、回路１５または基地局２と５つのラウドスピーカー４〜８との間の相対的な配置を表す第１位置情報ＰＩ１を格納するための第１メモリステージ２８を有する。第１位置情報ＰＩ１は、図１には示されない入力手段を用いて、ユーザにより基地局２において生成可能である。２つのルームエリア位置決め情報Ｓ１及びＳ２を考慮することに加えて、音声チャネル信号生成手段１１はまた、第１位置情報ＰＩ１を用いることにより、位置決めされたルームエリア１２に音声チャネル信号Ａ１〜Ａ５を調整するよう構成され、これにより、ラウドスピーカー４〜８の当該時点における位置または可変位置が許容されることが保証される。
【００３４】
図１に示されるシステム１の例示的な適用を参照して、システム１の動作が以下で説明される。この例示的な適用では、ユーザは一方においてルームエリア１２にリモコン装置１３を保持していることが仮定される。ユーザがリモコン装置１３上のスタートキー１３Ｂを押下すると、基地局２の機能を制御するため、いわゆる赤外線ダイオード１３Ａを介しリモコン装置１３により光制御信号ＬＳが発信される。
【００３５】
ルームエリア１２を配置するため、位置決め信号ＬＳが発信されるルームエリアを位置決めする方法が、回路１５により基地局において実行される。リモコン装置１３からの光制御信号により形成される位置決め信号ＬＳが、当該方法により利用される。本方法では、光制御信号ＬＳは、位置決め対象となるルームエリアからある距離にある地点において光受信される。それは実際には、光制御信号ＬＳは２つの光導体１９及び２０の受信セクタ内にあるルームエリア１２から発信されるため、位置決め信号ＬＳまたは、光導体１９及び２０に結合された位置決め信号ＬＳの比例的強度がセンサ２３及び２４に送信される送信手段１６またはより正確には光導体１９及び２０によって、基地局２または基地局２に含まれる位置決め装置１４において発生する。本方法によると、各比例的強度は、２つのセンサ２３と２４により受信され、それらにそれぞれ対応するセンサ信号ＳＳ２とＳＳ３が生成される。各センサ信号ＳＳ２及びＳＳ３は、所与のセンサ２２〜２５において与えられる光の強度に対する数値を表し、当該数値はセクタ境界Ｂ２１とＢ２２、並びにＢ３１とＢ３２との間のリモコン装置１３の位置、すなわち、送信手段１６への方向Ｄ及び距離Ｒに対応する。
【００３６】
本方法によると、位置決め信号ＬＳが発信されるルームエリア１２は、受信した光制御信号を用いることにより、あるいはより正確にはセンサ２２〜２５により発信されたセンサ信号ＳＳ１〜ＳＳ３を用いることにより判定手段２６により位置決めされる。当該処理において、第１ルームエリア位置決め情報Ｓ１が決定され、音声チャネル信号生成手段１１に送信される。さらに、第２ルームエリア位置決め情報Ｓ２が決定され、音声チャネル信号生成手段１１に送信される。
【００３７】
２つのルームエリア位置決め情報Ｓ１及びＳ２は、等距離ラインＥ３及び４と等距離ラインＤ２及びＤ３により画定されるルームエリア１２として位置決め信号ＬＳが発信されるルームエリアを位置決めする。これら２つのルームエリア位置決め情報Ｓ１とＳ２は、ユーザが期待または所望するマルチチャネル音声効果を生成するため、位置決めされたルームエリア１２に音声チャネル信号Ａ１〜Ａ５を調整するため音声チャネル信号生成手段１１において利用される。
【００３８】
図５に示される位置決め装置１４は、位置決め信号ＬＳが発信されるルームエリア１２が、本ケースでは自由に規定される装置の主受信方向ＭＤに対するそれの方向Ｄと位置決め装置１４からのそれの領域Ｒとに関して、位置決め装置１４または回路１５により位置決め可能となるとともに、位置決め装置１４の任意の所望の方向に位置決めされることを可能にするため、周辺に配置された受信手段１７及び送信手段１６を有する。このタイプの位置決め装置１４の構成は、例えば、位置決め装置１４が基地局２の上面に搭載され、基地局がルームの中心地点に配置され、位置決め信号が基地局２の前面２’が確認できない方向から受信される必要がある確率が高いとき、興味がある。このタイプの構成は、例えば、家具への適合に興味がある。
【００３９】
本ケースでは、光トランジスタ２９〜３６が受信手段１７を構成する８つの光トランジスタ２９〜３６が設けられる。隣接する光トランジスタ２９〜３６に属する受信セクタの間に最適な重複が取得されるように、光トランジスタには８つのレンズ３７〜４４の１つが設けられる。図５において、８つの受信セクタは、各自のセクタ境界４５と４６、４７と４８、４９と５０、５１と５２、５３と５４、５５と５６、５７と５８、及び５９と６０により規定される。センサ２０〜３６は、８つのセンサ信号ＳＳ５〜ＳＳ１２のそれぞれを判定手段２６に送信する。
【００４０】
受信手段１７と送信手段１６は基地局２の上面に平行に配置される必要はなく、ある角度で配置されてもよく、これにより、位置決め信号ＬＳが基地局２のやや上方の方向から受信されることを容易にするということが述べられるべきである。このように配置された位置決め装置４はまた、例えば、リビングのテーブルに適合させるのに適したものとなり、この場合、２つのルームエリア位置決め情報Ｓ１及びＳ２が適切な方法により基地局２に送信可能であることが保証される必要がある。
【００４１】
図６において、位置決め装置１４の断面が示されている。位置決め装置１４は、半円ＣＲの表面に沿って配置された受信手段１７を有する。この場合もまた、受信手段１７は、各々にレンズが設けられている光トランジスタの形態により実現される。従って、レンズにより構成される送信手段１６もまた、半円ＣＲの表面に沿って構成される。本ケースでは、断面図に見ることができる光トランジスタ６１〜６３の受信セクタは、各自のセクタ境界６７と６８、６９と７０、７１と７２により規定される。位置決め装置１４のこの構成は、例えば、位置決め信号生成手段１３の位置がルームの３つの座標に分解されときに効果的である。このように構成された位置決め装置は、例えば、この場合には２つのルームエリア位置決め情報Ｓ１及びＳ２が適切に基地局２に送信可能となることを保証される必要があるが、リビングの天井に適合させるのに適している。
【００４２】
基地局２から取り外された地点において利用される図５及び６に示される位置決め装置４に対して、それは、音声チャネル信号生成手段１１により処理可能であり、位置決め装置１４と基地局２との間、あるいは位置決め装置１４とラウドスピーカー４〜８の間の相対位置の表示が第１メモリステージ２８に格納されている場合に効果的である。
【００４３】
図７において、位置決め装置１４に含まれる回路１５を有する受信基地局７５’を有する音声信号受信システム７５が示される。音声信号受信システム７５はまた、５つのマイクロフォン７６〜８０と音声チャネル信号処理ステージ８１により構成される音声チャネル信号受信手段を有する。マイクロフォン７６〜８０は、受信基地局７５’、すなわち、音声チャネル信号処理ステージ８１に接続される。マイクロフォン７６〜８０は、５つのアコースティック音声チャネル信号Ａ１〜Ａ５を受信し、当該信号を受信基地局７５’に電子形式により送信するよう構成される。
【００４４】
回路１５により生成されるルームエリア位置決め情報Ｓ１及びＳ２を考慮することにより、音声信号受信手段は、ルームエリア位置決め情報Ｓ１及びＳ２により表されるルームエリア１２に音声チャネル信号受信手段の受信特性を調整するよう構成される。このため、本ケースでは、電子形式で受信可能な音声チャネル信号Ａ１〜Ａ５の周波数応答及び振幅は、音声チャネル信号処理ステージ８１を用いて変更される。
【００４５】
しかしながらこれに関して、マイクロフォン７６〜８０はまた、指向性マイクロフォンの形態をとるようにしてもよく、指向性マイクロフォンの向きまたは配置は、音声チャネル信号処理手段８１により変更可能であるということが述べられるべきである。さらに、ルームエリア位置決め情報Ｓ１及びＳ２に基づき音声チャネル信号Ａ１〜Ａ５に対して変更される個々の信号遅延が設けられてもよい。
【００４６】
音声信号受信システム７５はまた、回路１５、すなわち実質的には受信基地局７５’と５つのマイクロフォン７６〜８０との間の相対位置を表す第２位置情報ＰＩ２を格納するための第２メモリステージ８２を有する。さらに、音声チャネル信号処理手段８１は、ルームエリア位置決め情報Ｓ１及びＳ２を用いることにより、位置決めされたルームエリア１２に受信特性を調整するよう構成される。第２位置情報ＰＩ２が、図８には図示されていない入力手段を介しユーザにより入力可能である。
【００４７】
位置決め装置１４はまた、集積半導体モジュールの形態により実現可能であり、この場合、回路１５はセンサを有する集積回路により構成され、半導体モジュールの筺体は、送信手段を有するということが述べられるべきである。
【００４８】
さらに、所与のセンサに与えられる位置決め信号ＬＳの強度はまた、受信信号の周波数により表すことが可能であるということが述べられるべきである。
【００４９】
また、センサ及びそれに係る送信手段は、構造ユニットを形成するようにしてもよいということが述べられるべきである。
【図面の簡単な説明】
【００５０】
【図１】図１は、本発明の第１実施例による位置決め装置を有する音声信号発信システムのブロック図形式による概略図である。
【図２】図２は、図１の位置決め装置を図１と同様にしてより詳細に示す。
【図３】図３は、図２に示される位置決め装置のセンサに損際する位置決め信号の強度と位置決め信号生成手段と位置決め装置との間の距離との間の機能関係を示す。
【図４】図４は、図２に示された位置決め装置のセンサに存在する位置決め信号の強度と、センサの主受信方向からセンサ上に入射された位置決め信号の方向の偏差との間の第２の機能関係を示す。
【図５】図５は、本発明の第２実施例による位置決め装置を図２と同様に示す。
【図６】図６は、本発明の第３実施例による位置決め装置を図２と同様に示す。
【図７】図７は、位置決め装置の複数の隣接する受信センサの領域ゾーン間の重複を図１の詳細形式により示す。
【図８】図８は、図２に示されるような位置決め装置を有する音声信号受信システムを図１と同様に示す。
【国際調査報告】
2006527954.tif 000011
2006527954.tif 000012
2006527954.tif 000013